(57)【要約】      （修正有）【課題】使用時には容易に組み立てて使用することができ、使用しないときには容易に嵩張らなくすることができる組立式メガホンを提供する。【解決手段】シート３からなるメガホン本体が前部の開口部よりも後部の開口部が大きい円筒形状を有し、シート３の一方の長辺が円弧状の凸部形状を有する長辺Ｘ４であり、長辺Ｘの両端のコーナー部にホックＡ２ａおよびホックＢ２ｂが配設されて係合され、シート３の他方の長辺が円弧状の凹部形状を有する長辺Ｙ５であり、長辺Ｙ５の両端のコーナー部にホックＣ２ｃおよびホックＤ２ｄがそれぞれ配設され、長辺Ｘ４の中間部から長辺Ｙ５の中間部までの長さにおいて、長辺Ｙ５からの２０〜４０％の位置にホックＤ２ｄを貫通させるための貫通孔７が配設され、貫通孔７を介してホックＣ２ｃとホックＤ２ｄとが着脱可能に係合されていることを特徴とする。【選択図】図２
0003218385.tif 000002
【実用新案登録請求の範囲】
【請求項１】
長辺および短辺を有する長方形状のシートからなるメガホン本体を有する組み立て式メガホンであって、
前記メガホン本体が、当該メガホン本体の前部の開口部よりも当該メガホン本体の後部の開口部が大きい円筒形状を有し、
前記シートの一方の長辺が、メガホン本体の後部の開口部を形成するための円弧状の凸部形状を有する長辺Ｘであり、長辺Ｘの両端のコーナー部に当該コーナー部同士を着脱可能に係合させるためのホックＡおよびホックＢがそれぞれ配設され、ホックＡとホックＢとが着脱可能に係合され、
前記シートの他方の長辺が、メガホン本体の前部の開口部を形成するための円弧状の凹部形状を当該長辺の中間部に有する長辺Ｙであり、長辺Ｙの両端のコーナー部に当該コーナー部同士を着脱可能に係合させるためのホックＣおよびホックＤがそれぞれ配設され、
長辺Ｘの中間部から長辺Ｙの中間部までの長さにおいて、長辺Ｙからの２０〜４０％の位置にホックＤを貫通させるための貫通孔が配設され、当該貫通孔を介してホックＣとホックＤとが着脱可能に係合されている
ことを特徴とする組み立て式メガホン。
【請求項２】
シートの長辺Ｘの中間部から長辺Ｙの中間部にかけて折り曲げ部を有する請求項１に記載の組み立て式メガホン。
【考案の詳細な説明】
【技術分野】
【０００１】
本考案は、組み立て式メガホンに関する。さらに詳しくは、本考案は、野球、サッカー、フィギュアスケートなどのスポーツの応援グッズ、選挙運動の応援グッズ、ノベルティ商品などの幅広い用途に使用することが期待される組み立て式メガホンに関する。
【背景技術】
【０００２】
野球、サッカーなどの試合の際に応援グッズとして使用されるメガホンとして、放射線状に折り溝を形成し、一端に係止部を設け、他端近傍に前記係止部と係り合う円錐状または多角錘状に形成させる係止部を設けた紙片からなる組立式メガホンが提案されている（例えば、特許文献１参照）。しかし、前記組立式メガホンは、一端に設けられた係止部と、当該係止部と係り合う係止部とが容易に離脱することから、当該メガホンを掌などで叩いて音を出すタイプの応援グッズに適しているとはいえない。
【０００３】
前記応援グッズに使用される他のメガホンとして、単一の紙製シートによって形成されたメガホンであって、展開状態において扇状をなし、組立完了状態で前の開口部が後の開口部よりも大きな円筒状をなし、一方の端縁の近傍に差し込み用スリットを有するメガホン本体と、前記メガホン本体の他方の端縁から外方に突出して設けられた係合突片とを備え、前記係合突片が前記他方の端縁から連続して延びた突片本体と当該突片本体における後側の端縁から連続して延び、前記突片本体に片持ち的に支持された片持ち片とを備え、前記片持ち片と前記メガホン本体との間に引っ掛け用スリットが形成され、前記組立完了状態で前記引っ掛け用スリットと前記差し込み用スリットの周縁部とが係合しているメガホンが提案されている（例えば、特許文献２参照）。しかし、前記メガホンは、組み立て状態が解かれがたい構造を有することから（特許文献２の段落［００１４］参照）、スポーツ観戦などの終了後に持ち帰る際に嵩張るという欠点がある。
【０００４】
したがって、近年、使用時には容易に組み立てて使用することができ、使用しないときには容易に嵩張らなくすることができる組立式メガホンの開発が望まれている。
【先行技術文献】
【特許文献】
【０００５】
【特許文献１】実開昭６３−１７３２９４号公報
【特許文献２】実用新案登録第３２０１６３３号公報
【考案の概要】
【考案が解決しようとする課題】
【０００６】
本考案は、前記従来技術に鑑みてなされたものであり、使用時には容易に組み立てて使用することができ、使用しないときには容易に嵩張らなくすることができる組立式メガホンを提供することを課題とする。
【課題を解決するための手段】
【０００７】
本考案は、
（１）長辺および短辺を有する長方形状のシートからなるメガホン本体を有する組み立て式メガホンであって、前記メガホン本体が、当該メガホン本体の前部の開口部よりも当該メガホン本体の後部の開口部が大きい円筒形状を有し、前記シートの一方の長辺が、メガホン本体の後部の開口部を形成するための円弧状の凸部形状を有する長辺Ｘであり、長辺Ｘの両端のコーナー部に当該コーナー部同士を着脱可能に係合させるためのホックＡおよびホックＢがそれぞれ配設され、ホックＡとホックＢとが着脱可能に係合され、前記シートの他方の長辺が、メガホン本体の前部の開口部を形成するための円弧状の凹部形状を当該長辺の中間部に有する長辺Ｙであり、長辺Ｙの両端のコーナー部に当該コーナー部同士を着脱可能に係合させるためのホックＣおよびホックＤがそれぞれ配設され、長辺Ｘの中間部から長辺Ｙの中間部までの長さにおいて、長辺Ｙからの２０〜４０％の位置にホックＤを貫通させるための貫通孔が配設され、当該貫通孔を介してホックＣとホックＤとが着脱可能に係合されていることを特徴とする組み立て式メガホン、および
（２）前記シートの長辺Ｘの中間部から長辺Ｙの中間部にかけて折り曲げ部を有する前記（１）に記載の組み立て式メガホン
に関する。
【考案の効果】
【０００８】
本考案によれば、使用時には容易に組み立てて使用することができ、使用しないときには容易に嵩張らなくすることができる組立式メガホンが提供される。
【図面の簡単な説明】
【０００９】
【図１】本考案の組み立て式メガホンの一実施態様を示す概略斜視図である。
【図２】本考案の組み立て式メガホンの一実施態様の概略展開図である。
【考案を実施するための形態】
【００１０】
本考案の組み立て式メガホンは、前記したように、
長辺および短辺を有する長方形状のシートからなるメガホン本体を有する組み立て式メガホンであり、
前記メガホン本体が、当該メガホン本体の前部の開口部よりも当該メガホン本体の後部の開口部が大きい円筒形状を有し、
前記シートの一方の長辺が、メガホン本体の後部の開口部を形成するための円弧状の凸部形状を有する長辺Ｘであり、長辺Ｘの両端のコーナー部に当該コーナー部同士を着脱可能に係合させるためのホックＡおよびホックＢがそれぞれ配設され、ホックＡとホックＢとが着脱可能に係合され、
前記シートの他方の長辺が、メガホン本体の前部の開口部を形成するための円弧状の凹部形状を当該長辺の中間部に有する長辺Ｙであり、長辺Ｙの両端のコーナー部に当該コーナー部同士を着脱可能に係合させるためのホックＣおよびホックＤがそれぞれ配設され、
長辺Ｘの中間部から長辺Ｙの中間部までの長さにおいて、長辺Ｙからの２０〜４０％の位置にホックＤを貫通させるための貫通孔が配設され、当該貫通孔を介してホックＣとホックＤとが着脱可能に係合されていることを特徴とする。
【００１１】
本考案の組み立て式メガホンは、前記構造を有することから、使用時には容易に組み立てて使用することができ、使用しないときには容易に嵩張らなくすることができる。
【００１２】
以下に、本考案の組み立て式メガホンを図面に基づいて説明するが、本考案は、かかる図面に記載の実施態様のみに限定されるものではない。
【００１３】
図１は、本考案の組み立て式メガホンの一実施態様を示す概略斜視図である。図２は、本考案の組み立て式メガホンの一実施態様の概略展開図である。
【００１４】
本考案の組み立て式メガホンは、図１に示されるように、メガホン本体１を有する。メガホン本体１は、メガホン本体１の前部の開口部１ａよりもメガホン本体１の後部の開口部１ｂのほうが大きい円筒形状を有する。メガホン本体１の前部の開口部１ａは、ヒトの口からの音声が入力される側の開口部、換言すれば、ヒトの口部と接する側の開口部を意味し、後部の開口部１ｂは、ヒトの口からの音声が外部に発せられる出口側の開口部を意味する。
【００１５】
メガホン本体１は、図２の組み立て式メガホンの概略展開図に示されるように、長辺および短辺を有する長方形状のシート３で構成される。メガホン本体１を構成するシート３の一方の長辺Ｘ４の両端のコーナー部に配設されているホックＡ２ａおよびホックＢ２ｂ、およびメガホン本体１の他方の長辺Ｙ５の両端のコーナー部にホックＣ２ｃおよびホックＤ２ｄを有する。
【００１６】
メガホン本体１を構成するシート３の材質としては、例えば、ポリエチレンテレフタレート、ポリブチレンテレフタレートなどのポリエステル、ポリエチレン、ポリプロピレンなどのポリオレフィン系樹脂、ナイロン６、ナイロン６６などのポリアミド、塩化ビニル樹脂などの樹脂、紙などが挙げられるが、本考案は、かかる例示のみに限定されるものではない。
【００１７】
シート３の材質が樹脂である場合、当該樹脂として、例えば、ポリエステル、ポリオレフィン系樹脂などの透明な樹脂を用いることにより、シート３を透明にすることができる。透明なシート３は、そのままの状態で使用することができるほか、必要により、顔料などの着色剤をあらかじめ樹脂に練りこむことにより、例えば、白色、黄色、青色、赤色、黒色などの色に着色されていてもよい。
【００１８】
シート３の材質が紙である場合、当該紙として、例えば、ボール紙、コート紙などを用いることができる。前記紙は、必要により、例えば、白色、黄色、青色、赤色、黒色などの色に着色されていてもよい。また、紙の耐水性を向上させるために、当該紙の表面に樹脂コートが施されていてもよい。
【００１９】
シート３の表面には、必要により、文字、図形、模様などの意匠が、例えば、グラビア印刷、オフセット印刷などによって形成されていてもよい。
【００２０】
シート３の厚さは、シート３の材質によって異なるので一概には決定することができないことから、シート３の材質に応じて適宜決定することが好ましい。シート３の材質が、例えば、ポリエステルである場合、シート３の厚さは、本考案の組み立て式メガホンの組み立てやすさおよび当該組み立て式メガホンの使用性を向上させる観点から、好ましくは５０〜８００μｍ程度、より好ましくは１００〜５００μｍ程度である。
【００２１】
シート３は、長方形状を有することから、長辺を２ヵ所に有し、短辺を２ヵ所にする。シート３の一方の長辺は、本考案の組み立て式メガホンの後部の開口部１ｂを形成するための円弧状の凸部形状ｐを有する長辺Ｘ４であり、シート１の他方の長辺は、本考案の組み立て式メガホンの前部の開口部１ａを形成するための円弧状の凹部形状ｑを当該長辺の中間部に有する長辺Ｙ５である。
【００２２】
シート３の長辺Ｘ４および長辺Ｙ５の長さａは、いずれも本考案の組み立て式メガホンの組み立てやすさおよび当該組み立て式メガホンの使用性を向上させる観点から、４００〜６００ｍｍ程度であることが好ましい。
【００２３】
シート３の長辺Ｘ４は、本考案の組み立て式メガホンの後部の開口部１ｂの円周を形成する。したがって、本考案の組み立て式メガホンの後部の開口部１ｂの直径をＤとすると、シート３の長辺Ｘ４の円弧部分の長さは、π（円周率）×Ｄで表される。シート３の長辺Ｙ５の円弧状の凹部形状ｑの長さは、本考案の組み立て式メガホンの後部の開口部１ａの円周を形成する。したがって、本考案の組み立て式メガホンの後部の開口部１ａの直径をｄとすると、シート３の長辺Ｙ５の円弧状の凹部形状ｑの長さは、π（円周率）×ｄで表される。
【００２４】
シート３の短片の長さｂは、本考案の組み立て式メガホンの組み立てやすさおよび当該組み立て式メガホンの使用性を向上させる観点から、１５０〜３５０ｍｍ程度であることが好ましい。
【００２５】
シート３は、図２に示されるように、長辺Ｘ４の中間部から長辺Ｙ５の中間部にかけて折り曲げ部６を有していてもよい。シート３が折り曲げ部６を有する場合、本考案の組み立て式メガホンのホックＡ２ａとホックＢ２ｂとを離脱させ、ホックＣ２ｃとホックＤ２ｄとを離脱させて図２の概略展開図に示されるように平面形状のシート３とし、当該シート３を折り曲げ部６に沿って折り曲げることにより、本考案の組み立て式メガホンをコンパクトに折り畳むことができるので、本考案の組み立て式メガホンを嵩張らずに、例えば、バッグなどに容易に収容することができる。折り曲げ部６は、当該折り曲げ部６に沿ってシート３をあらかじめ折り曲げることによって形成させておいてもよく、折り曲げるための折り曲げ溝（図示せず）をあらかじめシート３に配設しておくことによって形成させてもよい。
【００２６】
また、シート３の４ヵ所に存在するコーナー部は、本考案の組み立て式メガホンの組み立てやすさおよび当該組み立て式メガホンの使用性を向上させる観点から、それぞれ円弧状に角取りが施されていることが好ましい。
【００２７】
シート３の長辺Ｘ４の両端のコーナー部に当該コーナー部同士を着脱可能に係合させるためのホックＡ２ａとホックＢ２ｂとがそれぞれ配設されている。ホックＡ２ａとホックＢ２ｂとは対になっており、ホックＡ２ａとホックＢ２ｂとを係合させることにより、シート３を円筒状に形成することができる。
【００２８】
シート３の長辺Ｙ５の両端のコーナー部に当該コーナー部同士を着脱可能に係合させるためのホックＣ２ｃとホックＤ２ｄとがそれぞれ配設されている。ホックＣ２ｃとホックＤ２ｄとは対になっており、ホックＣ２ｃとホックＤ２ｄとを係合させることができる。
【００２９】
ホックＡ２ａ、ホックＢ２ｂ、ホックＣ２ｃおよびホックＤ２ｄは、いずれも、商業的に容易に入手することができるものであり、例えば、プラスチックホックなどとして市販されているものを使用することができるほか、例えば、特開２０１２−０９５７８６号公報に記載されている係合具、特開２０１７−０１２７２３号公報に記載されている係合具などを用いることもできる。また、ホックＡ２ａ、ホックＢ２ｂ、ホックＣ２ｃおよびホックＤ２ｄの代わりに、必要により、マジックテープ（登録商標）などの面的に着脱可能な面ファスナーを用いてもよい。
【００３０】
ホックＡ２ａとホックＢ２ｂとの係合およびホックＣ２ｃとホックＤ２ｄとの係合を容易にするために、例えば、ホックＡ２ａおよびホックＢ２ｂを黄色に着色し、ホックＣ２ｃおよびホックＤ２ｄを青色に着色するなどにより、ホックＡ２ａとホックＢ２ｂとを同一色に着色し、ホックＣ２ｃとホックＤ２ｄとを同一色に着色し、ホックＡ２ａおよびホックＢ２ｂの着色がホックＣ２ｃおよびホックＤ２ｄの着色と相違するようにすることが好ましい。
【００３１】
図２に示される実施態様では、長辺Ｙ５の中間部ｙからの長さｚの位置に貫通孔７が配設されている。長辺Ｘ４の中間部から長辺Ｙ５の中間部までの長さＬにおいて、長辺Ｙ５からの２０〜４０％の位置、換言すれば、式：{［長さｚ］／［長辺Ｘ４の中間部から長辺Ｙ５の中間部までの長さＬ］}×１００の値が２０〜４０％である位置に、本考案の組み立て式メガホンの組み立てやすさおよび当該組み立て式メガホンの使用性を向上させる観点から、貫通孔７が配設されている。
【００３２】
図２に示される実施態様では、本考案の組み立て式メガホンの組み立てやすさおよび当該組み立て式メガホンの使用性を向上させる観点から、貫通孔７は、シート３の長辺Ｘ４の中間点から長辺Ｙ５の中間点までの線上に設けられているが、本考案の目的を阻害しない範囲であれば、必ずしも当該線上に設けられていなくてもよい。
【００３３】
また、ホックＣ２ｃとホックＤ２ｄとは一対で使用されるが、ホックＤ２ｄとして、凸部（雄型）を有するホックを用い、ホックＣ２ｃとして凹型（雌型）を有するホックを用いることが、ホックＤ２ｄが有する凸部（雄型）を貫通孔７に貫通させて貫通孔７に固定させることにより、ホックＣ２ｃとホックＤ２ｄとを容易に係合させる観点から、好ましい。
【００３４】
シート３を湾曲させ、シート３の貫通孔７を介してホックＣ２ｃとホックＤ２ｄとを係合させることにより、図１に示されるように、本考案の組み立て式メガホンを完成させることができる。
【００３５】
以上のようにして構成される本考案の組み立て式メガホンでは、ホックＡとホックＢとが着脱可能であり、ホックＣとホックＤとが着脱可能であることから、使用時にはシート３を湾曲させてホックＡ２ａとホックＢ２ｂと係合させ、ホックＣ２ｃとホックＤ２ｄとを貫通孔７を介して係合させるだけで容易に組み立てることができる。また、本考案の組み立て式メガホンを使用しないときには、ホックＡ２ａとホックＢ２ｂとを外し、ホックＣ２ｃとホックＤ２ｄとを外すだけでシート３にすることができるので、容易に嵩張らなくすることができる。
【００３６】
また、本考案の組み立て式メガホンは、シート３の長辺Ｘ４の中間部から長辺Ｙ５の中間部にかけて折り曲げ部６を有する場合には、シート３を折り曲げ部６に沿って折り曲げることにより、さらに嵩張らなくすることができるので、当該組み立て式メガホンをコンパクトにバッグなどの中に容易に収納することができる。
【００３７】
したがって、本考案の組み立て式メガホンは、例えば、スポーツの観戦時には、応援グッズのメガホンとして使用することができる。また、前記シートに、例えば、スポーツ選手の名前や野球の応援球団の名前などをあらかじめ記載しておいた場合には、当該組み立て式メガホンの各ホックを取り外してシートに展開させることにより、当該シートを応援グッズとして利用することもできる。
【００３８】
また、本考案の組み立て式メガホンを使用しないときには、本考案の組み立て式メガホンの各ホックを取り外すことにより、シートにすることができるので、嵩張らずに容易にバッグなどに収納することができる。
【００３９】
したがって、本考案の組み立て式メガホンは、例えば、野球、サッカー、フィギュアスケートなどのスポーツの応援グッズ、選挙運動の応援グッズ、ノベルティ商品などの幅広い用途に好適に使用することが期待されるものである。
【符号の説明】
【００４０】
１      メガホン本体
１ａ    メガホン本体の前部の開口部
１ｂ    メガホン本体の後部の開口部
２ａ    ホックＡ
２ｂ    ホックＢ
２ｃ    ホックＣ
２ｄ    ホックＤ
３      シート
４      長辺Ｘ
５      長辺Ｙ
６      折り曲げ部
７      貫通孔
ｐ      円弧状の凸部形状
ｑ      円弧状の凹部形状
【図１】
0003218385.tif 000003
【図２】
0003218385.tif 000004